Podtech/llm-jp-corpus-v4-ja_patent huggingface dataset:
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
操作部とＰｏｓｔＳｃｒｉｐｔのインタプリタを有し、外部装置と通信可能な情報処理装置であって、
前記外部装置からＰｏｓｔＳｃｒｉｐｔデータを受信する受信手段と、
前記受信手段が受信した前記ＰｏｓｔＳｃｒｉｐｔデータに含まれる命令に基づく処理を実行する実行手段と、
前記操作部を介して受け付けた第１のパスワード、もしくは前記受信手段が受信したＰｏｓｔＳｃｒｉｐｔデータに含まれる第２のパスワードを前記インタプリタの設定を変更するために必要なパスワードとして設定する設定手段とを有し、
前記実行手段は、パスワードの一致に関係なく当該ＰｏｓｔＳｃｒｉｐｔデータに含まれる命令に基づく処理を実行するためのオペレータが含まれており、前記設定手段に設定された第２のパスワードと一致するパスワードが含まれていないＰｏｓｔＳｃｒｉｐｔデータに含まれている命令に基づく処理を実行し、
前記実行手段は、前記オペレータが含まれており、前記設定手段に設定された第１のパスワードと一致するパスワードが含まれていないＰｏｓｔＳｃｒｉｐｔデータに含まれている命令に基づく処理を実行しないことを特徴とする情報処理装置。
【請求項２】
前記設定手段は、前記情報処理装置に管理者権限でログインしたユーザから前記操作部を介して受け付けた前記第１のパスワードを前記インタプリタの設定を変更するために必要なパスワードとして設定することを特徴とする請求項１に記載の情報処理装置。
【請求項３】
前記管理者権限でログインしたユーザによる前記パスワードの入力を受け付ける受け付け手段を更に有し、
前記設定手段は、前記受け付け手段が受け付けた前記パスワードを設定することを特徴とする請求項２に記載の情報処理装置。
【請求項４】
前記オペレータを無効化すると設定されている場合であって、前記オペレータに対応づけられた前記命令が記述された前記ＰｏｓｔＳｃｒｉｐｔデータを前記受信手段が受信した場合、前記実行手段が前記命令に基づく前記処理を実行せず、
前記オペレータを無効化すると設定されていない場合であって、前記オペレータに対応づけられた前記命令が記述された前記ＰｏｓｔＳｃｒｉｐｔデータを前記受信手段が受信した場合、前記実行手段は前記命令に基づく前記処理を実行することを特徴とする請求項１に記載の情報処理装置。
【請求項５】
前記情報処理装置に管理者権限でログインしたユーザによって前記オペレータを無効化するか否かの指示を受け付ける受け付け手段を更に有し、
前記受け付け手段が受け付けた前記指示に従って前記オペレータを無効化するか否かを設定することを特徴とする請求項４に記載の情報処理装置。
【請求項６】
前記オペレータに対応づけられていない前記命令が含まれる前記ＰｏｓｔＳｃｒｉｐｔデータを前記受信手段が受信した場合であって、前記ＰｏｓｔＳｃｒｉｐｔデータに含まれるパスワードと前記設定手段により設定された前記第１のパスワードが一致する場合、前記実行手段は前記命令に基づく前記処理を実行することを特徴とする請求項１乃至５の何れか１項に記載の情報処理装置。
【請求項７】
前記オペレータはＳｕｐｅｒｅｘｅｃオペレータであることを特徴とする請求項１乃至６の何れか１項に記載の情報処理装置。
【請求項８】
前記命令は少なくとも制御オペレータを含むことを特徴とする請求項１乃至７の何れか１項に記載の情報処理装置。
【請求項９】
操作部とＰｏｓｔＳｃｒｉｐｔのインタプリタを有し、外部装置と通信可能な情報処理装置の制御方法であって、
前記外部装置からＰｏｓｔＳｃｒｉｐｔデータを受信する受信工程と、
前記受信工程で受信した前記ＰｏｓｔＳｃｒｉｐｔデータに含まれる命令に基づく処理を実行する実行工程と、
前記操作部を介して受け付けた第１のパスワード、もしくは前記受信工程で受信したＰｏｓｔＳｃｒｉｐｔデータに含まれる第２のパスワードを前記インタプリタの設定を変更するために必要なパスワードとして設定する設定工程とを有し、
前記実行工程で、パスワードの一致に関係なく当該ＰｏｓｔＳｃｒｉｐｔデータに含まれる命令に基づく処理を実行するためのオペレータが含まれており、前記設定工程で設定された第２のパスワードと一致するパスワードが含まれていないＰｏｓｔＳｃｒｉｐｔデータに含まれている命令に基づく処理を実行し、
前記実行工程で、前記オペレータが含まれており、前記設定工程で設定された第１のパスワードと一致するパスワードが含まれていないＰｏｓｔＳｃｒｉｐｔデータに含まれている命令に基づく処理を実行しないことを特徴とする情報処理装置の制御方法。
【請求項１０】
請求項１乃至８の何れか１項に記載の情報処理装置の各手段をコンピュータで実行させるためのプログラム。
【手続補正２】
【補正対象書類名】明細書
【補正対象項目名】０００９
【補正方法】変更
【補正の内容】
【０００９】
本発明の情報処理装置は、操作部とＰｏｓｔＳｃｒｉｐｔのインタプリタを有し、外部装置と通信可能な情報処理装置であって、前記外部装置からＰｏｓｔＳｃｒｉｐｔデータを受信する受信手段と、前記受信手段が受信した前記ＰｏｓｔＳｃｒｉｐｔデータに含まれる命令に基づく処理を実行する実行手段と、前記操作部を介して受け付けた第１のパスワード、もしくは前記受信手段が受信したＰｏｓｔＳｃｒｉｐｔデータに含まれる第２のパスワードを前記インタプリタの設定を変更するために必要なパスワードとして設定する設定手段とを有し、前記実行手段は、パスワードの一致に関係なく当該ＰｏｓｔＳｃｒｉｐｔデータに含まれる命令に基づく処理を実行するためのオペレータが含まれており、前記設定手段に設定された第２のパスワードと一致するパスワードが含まれていないＰｏｓｔＳｃｒｉｐｔデータに含まれている命令に基づく処理を実行し、前記実行手段は、前記オペレータが含まれており、前記設定手段に設定された第１のパスワードと一致するパスワードが含まれていないＰｏｓｔＳｃｒｉｐｔデータに含まれている命令に基づく処理を実行しないことを特徴とする。
【手続補正書】
【提出日】令和2年12月22日(2020.12.22)
【手続補正１】
【補正対象書類名】明細書
【補正対象項目名】００９３
【補正方法】変更
【補正の内容】
【００９３】
＜導電性材料３の作製＞
加熱により粘着性を発現する被転写体として、住友ベークライト（株）製ＬＡＺ−７７５２を使用し、転写に際して該被転写体は支持体としてＳＵＳ３０４鋼板を熱圧着した状態で使用した。被転写体への転写は、８０℃で１時間の予備加熱を行った被転写体の転写面に対して、ロール温度を７０℃に調整したロールラミネーターを用いて、被転写体の温度が７０℃、圧力２０Ｎ／ｃｍ２、速度０．３ｍ／分（圧着時間として１秒）で、上記した転写用基材２の導電性パターンを形成した面を熱圧着し、室温に戻してから転写用基材２を剥離した。その後、導電性パターンが転写された被転写体を１８０℃１時間の加熱硬化を行い、導電性材料３を得た。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
搬送される印刷対象物に対して、紫外線領域の波長の光の照射を受けると光を発する蛍光物質を含む溶液を塗布する溶液の塗布装置であって、
複数のノズルを有し、前記ノズルの吐出口から前記溶液を吐出する印刷ヘッドと、
紫外線領域の波長を有し、前記吐出口を含む領域に対して光を照射する光源と、
前記印刷ヘッドに前記溶液が供給された状態で、前記光源から前記光の照射を受けた前記吐出口の少なくとも１つ含む領域を撮像する撮像部と、
前記撮像部が撮像し、得られた画像から、吐出不良ノズルの有無を判断する制御装置と、
を有することを特徴とする溶液の塗布装置。
【請求項２】
前記印刷ヘッドをワイピングするワイプ機構を有し、
前記撮像部は、前記ワイプ機構と一体に、固定されて設けられることを特徴とする請求項１記載の溶液の塗布装置。
【請求項３】
前記ワイプ機構は、前記印刷対象物の搬送方向に直交する方向に移動することを特徴とする請求項２記載の溶液の塗布装置。
【請求項４】
前記ワイプ機構と一体に設けられ、前記印刷ヘッドから吐出される溶液を受ける液受け部をさらに有し、
前記ワイプ機構がワイピングを行っていない待機位置にあるときにおいて、前記印刷ヘッドに近い方から前記撮像機構、前記ワイプ機構、前記液受け部の順に並ぶように設けられることを特徴とする請求項３記載の溶液の塗布装置。
【請求項５】
前記撮像部は、前記ワイプ機構によるワイピングに追従しながら、前記吐出口を撮像することを特徴とする請求項２乃至請求項４のいずれか一項記載の溶液の塗布装置。
【請求項６】
前記制御装置は、前記吐出不良ノズルが有ると判断した場合、前記ワイプ機構にワイピングを行わせる請求項２乃至請求項５のいずれか一項記載の溶液の塗布装置。
【請求項７】
前記制御装置はさらに、前記画像から前記印刷ヘッドの前記吐出口が形成された面の、傷の有無を検出する請求項１乃至請求項６いずれか一項記載の溶液の塗布装置。
【請求項８】
搬送される印刷対象物に対して、紫外線領域の波長の光の照射を受けると光を発する蛍光物質を含む溶液を塗布する溶液の塗布装置であって、
複数のノズルを有し、前記ノズルの吐出口から前記溶液を吐出する印刷ヘッドと、
紫外線領域の波長を有し、前記吐出口を含む領域に対して光を照射する光源と、
前記印刷ヘッドをワイピングするワイプ機構と、
前記ワイプ機構によってワイピングされた後の前記印刷ヘッドの前記吐出口が形成された面を撮像する撮像部と、
前記撮像部が撮像し、得られた画像から、前記印刷ヘッドの前記吐出口が形成された面の傷の有無を判断する制御装置と、
を有することを特徴とする溶液の塗布装置。
【請求項９】
錠剤に対して、紫外線領域の波長の光の照射を受けると光を発する蛍光物質を含む溶液を塗布する錠剤印刷装置であって、
前記錠剤を搬送する搬送装置と、
前記錠剤に前記溶液を塗布する請求項１乃至請求項８のいずれか一項記載の溶液の塗布装置と、
を有することを特徴とする錠剤印刷装置。
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技機の初期化に関する第１動作を検出可能な第１動作検出手段と、
前記第１動作とは異なる第２動作を検出可能な第２動作検出手段と、
電力供給の開始の際に前記第１動作及び前記第２動作が検出されたことに基づいて、設定値の設定を許可するための設定許可状態に制御可能な設定許可制御手段と、
電力供給の開始の際に前記第２動作が検出されたことに基づいて、設定された設定値を確認するための設定確認状態に制御可能な設定確認制御手段と、
前記電力供給の開始の際に前記第１動作が検出され前記第２動作が検出されないときと、前記電力供給の開始の際に前記第１動作及び前記第２動作が検出されたときとのそれぞれで初期化処理を実行可能な初期化実行手段と、
前記初期化実行手段により前記初期化処理が実行されたことに基づいて、所定期間に亘って初期化報知を実行可能な初期化報知手段と、を備え、
前記初期化報知手段は、
電力供給の開始の際に前記第１動作が検出され前記第２動作が検出されないときに、該電力供給の開始とともに前記初期化報知を実行し、
電力供給の開始の際に前記第１動作及び前記第２動作が検出されたときに、該電力供給の開始タイミングとは異なるタイミングで前記初期化報知を実行し、
前記設定許可状態の制御に関する報知と、前記設定確認状態の制御に関する報知とで共通の音量により報知音が出力され、
前記初期化報知が実行される期間中に、振動部材を振動させることが可能であり、
前記電力供給の開始の際に前記第１動作が検出され前記第２動作が検出されないときに実行される初期化処理に対応する初期化報知が実行される期間と、前記電力供給の開始の際に前記第１動作及び前記第２動作が検出されたときに実行される初期化処理に対応する初期化報知が実行される期間と、のそれぞれの期間において、前記振動部材を振動させることが可能である、
ことを特徴とする遊技機。
【手続補正２】
【補正対象書類名】明細書
【補正対象項目名】０００２
【補正方法】変更
【補正の内容】
【０００２】
特許文献１に示すように、設定値を外部からの設定変更操作に基づいて変更する設定変更手段を備える遊技機が提案されている。
【手続補正３】
【補正対象書類名】明細書
【補正対象項目名】０００３
【補正方法】変更
【補正の内容】
【０００３】
【特許文献１】特開２０１０−２００９０２号公報（段落０００７）
【手続補正４】
【補正対象書類名】明細書
【補正対象項目名】０００４
【補正方法】変更
【補正の内容】
【０００４】
特許文献１に記載されたような遊技機では、設定値の設定に関する制御を適正化する必要がある。
【手続補正５】
【補正対象書類名】明細書
【補正対象項目名】０００５
【補正方法】変更
【補正の内容】
【０００５】
この発明は、上記の実状に鑑みてなされたものであり、設定値の設定に関する制御を適正化することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態に制御可能な遊技機であって、
遊技機の初期化に関する第１動作を検出可能な第１動作検出手段と、
前記第１動作とは異なる第２動作を検出可能な第２動作検出手段と、
電力供給の開始の際に前記第１動作及び前記第２動作が検出されたことに基づいて、設定値の設定を許可するための設定許可状態に制御可能な設定許可制御手段と、
電力供給の開始の際に前記第２動作が検出されたことに基づいて、設定された設定値を確認するための設定確認状態に制御可能な設定確認制御手段と、
前記電力供給の開始の際に前記第１動作が検出され前記第２動作が検出されないときと、前記電力供給の開始の際に前記第１動作及び前記第２動作が検出されたときとのそれぞれで初期化処理を実行可能な初期化実行手段と、
前記初期化実行手段により前記初期化処理が実行されたことに基づいて、所定期間に亘って初期化報知を実行可能な初期化報知手段と、を備え、
前記初期化報知手段は、
電力供給の開始の際に前記第１動作が検出され前記第２動作が検出されないときに、該電力供給の開始とともに前記初期化報知を実行し、
電力供給の開始の際に前記第１動作及び前記第２動作が検出されたときに、該電力供給の開始タイミングとは異なるタイミングで前記初期化報知を実行し、
前記設定許可状態の制御に関する報知と、前記設定確認状態の制御に関する報知とで共通の音量により報知音が出力され、
前記初期化報知が実行される期間中に、振動部材を振動させることが可能であり、
前記電力供給の開始の際に前記第１動作が検出され前記第２動作が検出されないときに実行される初期化処理に対応する初期化報知が実行される期間と、前記電力供給の開始の際に前記第１動作及び前記第２動作が検出されたときに実行される初期化処理に対応する初期化報知が実行される期間と、のそれぞれの期間において、前記振動部材を振動させることが可能である。
（１）また、他の形態として、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
プレイ行為を実行すべき各実行時期が予め記述されているシーケンスデータに基づいて各実行時期を案内するとともに、前記プレイ行為が実行された場合に前記シーケンスデータの各実行時期を利用した評価基準に基づいて前記プレイ行為の実際の実行時期を評価することにより前記プレイ行為を少なくとも評価するタイミングゲームを提供するゲームシステムであって、
前記各実行時期に対応する指示標識、及び基準標識の相対的な位置関係を変化させることで前記各実行時期を案内するゲーム画面を表示する表示手段と、
前記プレイ行為が入力される複数の入力範囲を有する入力手段と、
前記評価基準を緩和するための緩和条件を前記シーケンスデータの各実行時期が満たすか否か判別する条件判別手段と、
前記緩和条件が満たされない場合には前記評価基準に基づいて前記プレイ行為を評価する一方で、前記緩和条件が満たされる場合には前記評価基準が緩和された緩和基準に基づいて前記プレイ行為を評価する行為評価手段と、を備え、
前記ゲーム画面において前記基準標識が表示される位置と、前記入力範囲の位置とが重畳することなく離れている、ゲームシステム。
【請求項２】
前記入力手段における前記複数の入力範囲の少なくとも一部は、互いに隣接するように配置される、
請求項１に記載のゲームシステム。
【請求項３】
プレイ行為を実行すべき各実行時期が予め記述されているシーケンスデータに基づいて各実行時期を案内するとともに、前記プレイ行為が実行された場合に前記シーケンスデータの各実行時期を利用した評価基準に基づいて前記プレイ行為の実際の実行時期を評価することにより前記プレイ行為を少なくとも評価するタイミングゲームを提供するゲームシステムであって、前記各実行時期に対応する指示標識、及び基準標識の相対的な位置関係を変化させることで前記各実行時期を案内するゲーム画面を表示する表示手段と、前記プレイ行為が入力される複数の入力範囲を有する入力手段とを備え、前記ゲーム画面において前記基準標識が表示される位置と、前記入力範囲の位置とが重畳することなく離れているゲームシステムに組み込まれるコンピュータを、
前記評価基準を緩和するための緩和条件を前記シーケンスデータの各実行時期が満たすか否か判別する条件判別手段、及び
前記緩和条件が満たされない場合には前記評価基準に基づいて前記プレイ行為を評価する一方で、前記緩和条件が満たされる場合には前記評価基準が緩和された緩和基準に基づいて前記プレイ行為を評価する行為評価手段として機能させるように構成されるコンピュータプログラム。
【請求項４】
プレイ行為を実行すべき各実行時期が予め記述されているシーケンスデータに基づいて各実行時期を案内するとともに、前記プレイ行為が実行された場合に前記シーケンスデータの各実行時期を利用した評価基準に基づいて前記プレイ行為の実際の実行時期を評価することにより前記プレイ行為を少なくとも評価するタイミングゲームを提供するゲームシステムであって、前記各実行時期に対応する指示標識、及び基準標識の相対的な位置関係を変化させることで前記各実行時期を案内するゲーム画面を表示する表示手段と、前記プレイ行為が入力される複数の入力範囲を有する入力手段とを備え、前記ゲーム画面において前記基準標識が表示される位置と、前記入力範囲の位置とが重畳することなく離れているゲームシステムに組み込まれるコンピュータに、
前記評価基準を緩和するための緩和条件を前記シーケンスデータの各実行時期が満たすか否か判別する条件判別手順、及び
前記緩和条件が満たされない場合には前記評価基準に基づいて前記プレイ行為を評価する一方で、前記緩和条件が満たされる場合には前記評価基準が緩和された緩和基準に基づいて前記プレイ行為を評価する行為評価手順を実行させる制御方法。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
疑似コンピュータ断層撮影（ＣＴ）画像を生成するシステムであって、
プロセッサと、
前記プロセッサに通信可能に結合されたメモリを有し、
前記メモリは、前記プロセッサによって実行されると、前記プロセッサが操作を実行するように構成された命令を格納しており、
前記操作は、
患者の磁気共鳴（ＭＲ）画像を受信するステップであって、複数の前記ＭＲ画像は異なるＭＲイメージングプロトコルパラメータを用いて取得されたものであるステップと、
前記ＭＲ画像を取得するために用いられたＭＲイメージングプロトコルパラメータを取得するステップと、
前記ＭＲイメージングプロトコルパラメータに基づいて組織パラメータマップを決定するステップと、
前記組織パラメータマップに予測モデルを適用することによってＣＴ値を生成するステップと、
前記生成されたＣＴ値に基づいて前記疑似ＣＴ画像を生成するステップを含む
ことを特徴とする疑似ＣＴ画像を生成するシステム。
【請求項２】
請求項１記載のシステムにおいて、
前記組織パラメータマップは、陽子密度マップと縦緩和時間マップと横緩和時間マップとを含むグループから選択されている
ことを特徴とする疑似ＣＴ画像を生成するシステム。
【請求項３】
請求項１記載のシステムにおいて、
固有の組織パラメータに対する組織パラメータマップを決定するステップは、
前記ＭＲイメージングプロトコルパラメータと、画像点に対応するそれぞれの画像位置における前記ＭＲ画像のＭＲ画像強度値とに基づいて、前記組織パラメータマップの画像点の組織パラメータ値を推定するステップを含む
ことを特徴とする疑似ＣＴ画像を生成するシステム。
【請求項４】
請求項１記載のシステムにおいて、
前記複数のＭＲ画像の数は３以上である
ことを特徴とする疑似ＣＴ画像を生成するシステム。
【請求項５】
請求項１記載のシステムにおいて、
前記操作は、
前記ＭＲ画像を画像取得装置から受信するステップを含む
ことを特徴とする疑似ＣＴ画像を生成するシステム。
【請求項６】
請求項１記載のシステムにおいて、
前記操作は、
前記ＭＲ画像をＭＲ画像データベースから受信するステップを含む
ことを特徴とする疑似ＣＴ画像を生成するシステム。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
遊技球が流下可能な遊技盤を有する遊技機において、
前記遊技盤に設けられる始動口への入球に基づいて判定を行う判定手段と、
前記判定手段による判定の結果に基づいて図柄変動を行う図柄変動手段と、
前記図柄変動にて所定の態様が現れると、遊技者に特典を付与しうる特典付与手段と、
演出に関わる制御を行う演出制御手段と、
前記演出制御手段による制御によって動作可能な可動体と
を備え、
前記演出制御手段は、
前記可動体を動作させる可動体動作時期が予め設定されている特定状態を、前記始動口への入球とは別の特定条件が成立したことに基づいて発生可能な特定状態発生手段と、
前記可動体が正常位置にないとき、該可動体に対して復元動作を行わせる処理を実行可能な復元処理手段と、
を有しており、
前記特定状態が発生しておらず且つ前記可動体が正常位置にない状況において特定の復元時期が到来すると、該特定の復元時期が到来したことを契機として、該可動体に対して復元動作を行わせる処理を開始可能であるが、
前記特定状態が発生しており且つ前記可動体が正常位置にない状況においては、前記特定の復元時期が到来してもこれを契機として復元動作を行わせる処理を開始させることはなく、前記特定状態内における所定時期で復元動作を行わせる処理を開始可能である
ことを特徴とする遊技機。
【手続補正２】
【補正対象書類名】明細書
【補正対象項目名】０００８
【補正方法】変更
【補正の内容】
【０００８】
本発明は、
遊技球が流下可能な遊技盤を有する遊技機において、
前記遊技盤に設けられる始動口への入球に基づいて判定を行う判定手段と、
前記判定手段による判定の結果に基づいて図柄変動を行う図柄変動手段と、
前記図柄変動にて所定の態様が現れると、遊技者に特典を付与しうる特典付与手段と、
演出に関わる制御を行う演出制御手段と、
前記演出制御手段による制御によって動作可能な可動体と
を備え、
前記演出制御手段は、
前記可動体を動作させる可動体動作時期が予め設定されている特定状態を、前記始動口への入球とは別の特定条件が成立したことに基づいて発生可能な特定状態発生手段と、
前記可動体が正常位置にないとき、該可動体に対して復元動作を行わせる処理を実行可能な復元処理手段と、
を有しており、
前記特定状態が発生しておらず且つ前記可動体が正常位置にない状況において特定の復元時期が到来すると、該特定の復元時期が到来したことを契機として、該可動体に対して復元動作を行わせる処理を開始可能であるが、
前記特定状態が発生しており且つ前記可動体が正常位置にない状況においては、前記特定の復元時期が到来してもこれを契機として復元動作を行わせる処理を開始させることはなく、前記特定状態内における所定時期で復元動作を行わせる処理を開始可能である
ことを特徴とする。
【手続補正３】
【補正対象書類名】明細書
【補正対象項目名】０００９
【補正方法】削除
【補正の内容】
【手続補正書】
【提出日】令和3年6月2日(2021.6.2)
【手続補正１】
【補正対象書類名】特許請求の範囲
【補正対象項目名】全文
【補正方法】変更
【補正の内容】
【特許請求の範囲】
【請求項１】
手持ち式表面クリーニング装置において、
前記装置の第１端部のハンドル部分と、
前記装置の第２端部のノズルであって、前記装置から取り外し可能であり、かつ、ノズル汚濁空気入口を形成する前記ノズルと、
吸引を生成して、汚濁空気通路を通じて前記ノズル汚濁空気入口内に空気を引き込むためのモータと、
前記ノズルに連結された塵貯蔵部であって、前記ノズル汚濁空気入口を通じて塵を受け取って前記塵を格納するために前記汚濁空気通路と流体連通する塵貯蔵空間を具備し、前記ノズルの後方端部が伸長して当該塵貯蔵空間の前端より後方に位置する、前記塵貯蔵部と、
前記ノズルの前記後方端部に連結されたバルブ本体であって、当該バルブ本体は、前記モータによって提供される吸引がない場合に前記塵が前記ノズル汚濁空気入口を通じて前記装置を出ることを防ぐように位置付けられ、当該バルブ本体は、前記塵が前記ノズル汚濁空気入口を通じて前記塵貯蔵部内に引き込まれることを可能にするために前記モータによって吸引が生成される時に変位させられるように構成される、前記バルブ本体とを有することを特徴とする手持ち式表面クリーニング装置。
【請求項２】
前記塵貯蔵部は前記装置に取り外し可能に連結され、前記ノズルは前記塵貯蔵部の第１端部に取り外し可能に結合される、請求項１に記載の手持ち式表面クリーニング装置。
【請求項３】
前記装置は、さらに、前記塵貯蔵部内に配置されたフィルタを有し、前記フィルタは、前記塵貯蔵部が前記装置から取り外されるときに前記塵貯蔵部の第２端部の開口から取り外し可能である、請求項２に記載の手持ち式表面クリーニング装置。
【請求項４】
前記装置は、さらに、前記モータに電力供給するためのバッテリを有する、請求項１に記載の手持ち式表面クリーニング装置。
【請求項５】
前記モータは、前記装置のモータセクションに収容され、前記装置のモータセクションは前記ハンドル部分に隣接しており、前記装置は、前記モータセクションから前記装置の前記第２端部まで実質的に連続的な幅を有する、請求項１に記載の手持ち式表面クリーニング装置。
【請求項６】
前記ハンドル部分は、前記モータセクションから前記装置の前記第２端部までの前記実質的に連続的な幅よりも小さい第２の実質的に連続的な幅を有する、請求項５に記載の手持ち式表面クリーニング装置。
【請求項７】
前記装置の前記第１端部から前記ノズルまで実質的に円筒形状を有する、請求項１に記載の手持ち式表面クリーニング装置。
【請求項８】
前記ハンドル部分と前記モータセクションとの間の遷移を実現するテーパ部分をさらに備える、請求項６に記載の手持ち式表面クリーニング装置。
【請求項９】
前記塵貯蔵部は実質的に円筒形状を有する、請求項１に記載の手持ち式表面クリーニング装置。
【請求項１０】
前記塵貯蔵部は前記モータに対して実質的に同軸に位置決めされる、請求項１に記載の手持ち式表面クリーニング装置。
【請求項１１】
前記塵貯蔵部から前記モータ内に前記塵が移動することを防ぐための取り外し可能フィルタをさらに備え、前記取り外し可能フィルタは、前記塵貯蔵部および前記モータに実質的に同軸に位置決めされる、請求項１に記載の手持ち式表面クリーニング装置。
【請求項１２】
表面クリーニング装置において、
フレームと、
クリーニングヘッド汚濁空気入口を含むクリーニングヘッドと、
請求項１に記載の手持ち式表面クリーニング装置であって、当該手持ち式表面クリーニング装置によって生成された吸引が前記クリーニングヘッド汚濁空気入口内に空気を引き込むように前記フレームに取り外し可能に連結されるように構成された、前記手持ち式表面クリーニング装置とを有することを特徴とする表面クリーニング装置。
【請求項１３】
前記手持ち式表面クリーニング装置は、前記手持ち式表面クリーニング装置によって生成される吸引が前記クリーニングヘッド汚濁空気入口内および前記ノズル汚濁空気入口内に空気を引き込んで前記塵貯蔵部内に塵を格納するように前記フレームに連結されるように構成される、請求項１２に記載の表面クリーニング装置。
【請求項１４】
手持ち式表面クリーニング装置において、
前記装置の第１端部のハンドル部分と、
前記装置の第２端部のノズルであって、ノズル汚濁空気入口を形成する前記ノズルと、
吸引を生成して、汚濁空気通路を通じて前記ノズル汚濁空気入口内に空気を引き込むためのモータと、
前記モータに電力を供給するためのバッテリと、
前記装置に取り外し可能に連結され、前記ノズル汚濁空気入口を通じて塵を受け取って前記塵を格納するために前記汚濁空気通路と流体連通するダストカップであって、前記ノズルが当該ダストカップの第１端部に取り外し可能に連結されている前記ダストカップと、
前記ノズルに連結されたバルブ本体であって、当該バルブ本体は、前記モータによって供給される吸引がない場合に前記塵が前記ノズル汚濁空気入口を通じて前記ダストカップを出ることを防ぐように位置付けられ、当該バルブ本体は前記塵が前記ノズル汚濁空気入口を通じて前記ダストカップ内に引き込まれることを可能にするために前記モータによって吸引が生成される時に変位させられるように構成される、前記バルブ本体と、
前記ダストカップ内に配置されるフィルタであって、前記ダストカップが前記装置から取り外される時に前記ダストカップの第２端部の開口部から取り外し可能である前記フィルタと有することを特徴とする手持ち式表面クリーニング装置。
【請求項１５】
表面クリーニング装置において、
フレームと、
クリーニングヘッド汚濁空気入口を含むクリーニングヘッドと、
請求項１４に記載の手持ち式表面クリーニング装置であって、当該手持ち式表面クリーニング装置によって生成された吸引が前記クリーニングヘッド汚濁空気入口内に空気を引き込むように前記フレームに取り外し可能に連結されるように構成された、前記手持ち式表面クリーニング装置とを有することを特徴とする表面クリーニング装置。
【請求項１６】
前記手持ち式表面クリーニング装置は、前記手持ち式表面クリーニング装置によって生成される吸引が前記クリーニングヘッド汚濁空気入口内および前記ノズル汚濁空気入口内に空気を引き込んで前記ダストカップ内に塵を格納するように前記フレームに連結されるように構成される、請求項１５に記載の表面クリーニング装置。
【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
遊技における演出を制御するための演出制御手段と、
前記演出制御手段によって前記演出のために制御され、動作を開始する初期位置から所定の動作範囲内を動作可能な可動役物と、
前記可動役物を駆動させるモータと、
前記演出制御手段から出力される駆動データに基づいて、前記可動役物を駆動させるための駆動電流を前記モータに供給する駆動電流供給手段と、
を備えた遊技機において、
ホール営業を開始する前に前記遊技機に対する電力供給が開始されたときに実行される初期化動作として前記可動役物を初期位置に位置するように動作させ、
前記可動役物について前記初期位置に位置していることを検出する位置検出手段と、
前記位置検出手段の検出結果に基づいて前記可動役物に異常が発生していることを判定可能な異常判定手段と、
前記異常判定手段によって、前記可動役物に異常が発生していると判定された場合に外部に報知可能な報知手段と、
前記異常判定手段によって、異常が発生していると判定された可動役物の動作を禁止する可動役物動作禁止手段と、を備え、
前記報知手段により行われる報知の態様は、ホール営業を開始する前に前記遊技機に対する電力供給が開始されたときに実行される前記初期化動作時に前記可動役物に異常が発生していると前記異常判定手段により判定された場合と、前記可動役物を遊技が行われている遊技中に動作させる役物演出時に前記可動役物に異常が発生していると判定された場合と、で前記異常判定手段による異常の判定は前記初期化動作時と前記役物演出時で共通しているものの、異なる態様とされており、
遊技が行われている遊技中に前記可動役物を動作させる前記役物演出は、ホール営業を開始する前に前記遊技機に対する電力供給が開始されたときに実行される前記初期化動作によって前記可動役物が前記初期位置に位置するように動作されたのち、前記異常判定手段によって前記可動役物に異常が発生していると判定された場合においては実行されないようにされ、
前記異常判定手段は、前記位置検出手段によって前記可動役物が前記初期位置に位置していないことを連続して複数回検出したことを契機に前記可動役物に異常が発生していると判定する
ことを特徴とする遊技機。
【手続補正２】
【補正対象書類名】明細書
【補正対象項目名】０００４
【補正方法】変更
【補正の内容】
【０００４】
しかしながら、上記特許文献１に記載される遊技機においては、可動役物に異常が発生する場合としては、遊技機に対する電力供給の開始時に、可動役物を初期位置に戻そうとした際に発生する場合や、演出時の可動役物の移動の際に異常が発生する場合などがあるのに対し、適切な報知が行えていない場合がある。
【手続補正３】
【補正対象書類名】明細書
【補正対象項目名】０００５
【補正方法】変更
【補正の内容】
【０００５】
本発明は、このような事情に鑑みてなされたものであり、その目的は、可動役物に異常が発生した場合に、異常が発生した際の状況に応じて適切な報知を行うことができることが可能な遊技機を提供することにある。
【手続補正４】
【補正対象書類名】明細書
【補正対象項目名】０００６
【補正方法】変更
【補正の内容】
【０００６】
請求項１に係る遊技機は、遊技における演出を制御するための演出制御手段と、前記演出制御手段によって前記演出のために制御され、動作を開始する初期位置から所定の動作範囲内を動作可能な可動役物と、前記可動役物を駆動させるモータと、前記演出制御手段から出力される駆動データに基づいて、前記可動役物を駆動させるための駆動電流を前記モータに供給する駆動電流供給手段と、備えた遊技機において、ホール営業を開始する前に前記遊技機に対する電力供給が開始されたときに実行される初期化動作として前記可動役物を初期位置に位置するように動作させ、前記可動役物について前記初期位置に位置していることを検出する位置検出手段と、前記位置検出手段の検出結果に基づいて前記可動役物に異常が発生していることを判定可能な異常判定手段と、前記異常判定手段によって、前記可動役物に異常が発生していると判定された場合に外部に報知可能な報知手段と、前記異常判定手段によって、異常が発生していると判定された可動役物の動作を禁止する可動役物動作禁止手段と、を備え、前記報知手段により行われる報知の態様は、ホール営業を開始する前に前記遊技機に対する電力供給が開始されたときに実行される前記初期化動作時に前記可動役物に異常が発生していると前記異常判定手段により判定された場合と、前記可動役物を遊技が行われている遊技中に動作させる役物演出時に前記可動役物に異常が発生していると判定された場合と、で前記異常判定手段による異常の判定は前記初期化動作時と前記役物演出時で共通しているものの、異なる態様とされており、遊技が行われている遊技中に前記可動役物を動作させる前記役物演出は、ホール営業を開始する前に前記遊技機に対する電力供給が開始されたときに実行される前記初期化動作によって前記可動役物が前記初期位置に位置するように動作されたのち、前記異常判定手段によって前記可動役物に異常が発生していると判定された場合においては実行されないようにされ、前記異常判定手段は、前記位置検出手段によって前記可動役物が前記初期位置に位置していないことを連続して複数回検出したことを契機に前記可動役物に異常が発生していると判定することを特徴とする遊技機である。
【手続補正５】
【補正対象書類名】明細書
【補正対象項目名】０００７
【補正方法】変更
【補正の内容】
【０００７】
本発明によれば、可動役物に異常が発生した場合に、異常が発生した際の状況に応じて適切な報知を行うことができる遊技機を提供することが可能となる。
【手続補正書】
【提出日】令和3年9月15日(2021.9.15)
【手続補正１】
【補正対象書類名】特許請求の範囲
【補正対象項目名】全文
【補正方法】変更
【補正の内容】
【特許請求の範囲】
【請求項１】
複数のユーザが所属するユーザグループを設定する設定手段と、
前記ユーザグループに所属している各ユーザにそれぞれ個別にゲームを実行させるための制御を実行する実行制御手段と、
を含み、
前記設定手段は、
前記ユーザグループに所属しているユーザが前記ゲームを完了した場合に、当該ユーザからの所定の要求に応じて、当該ユーザを他のユーザグループにも所属させる手段と、
前記ユーザグループに所属しているユーザが他のユーザグループにも所属することを制限する制限手段と、
前記ユーザグループに所属しているユーザが前記ゲームを完了した場合に、当該ユーザに対する前記制限手段による制限を解除する解除手段と、を含む、
ゲームシステム。
【請求項２】
複数のユーザが所属するユーザグループを設定する設定手段と、
前記ユーザグループに所属している各ユーザにそれぞれ個別にゲームを実行させるための制御を実行する実行制御手段と、
を含み、
前記設定手段は、
前記ユーザグループに所属しているユーザが前記ゲームを完了した場合に、当該ユーザからの所定の要求に応じて、当該ユーザを他のユーザグループにも所属させる手段と、
前記ユーザグループに所属しているユーザが他のユーザグループにも所属することを制限する制限手段と、
前記ユーザグループに所属しているユーザが前記ゲームを完了した場合に、当該ユーザに対する前記制限手段による制限を解除する解除手段と、を含む、
ゲーム制御装置。
【請求項３】
請求項１に記載のゲームシステム、又は、請求項２に記載のゲーム制御装置としてコンピューターを機能させるためのプログラム。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射する発射手段と、
前記遊技領域を流通する遊技球が入球可能な入球手段と、
前記遊技領域を流通する遊技球が通過可能な通過手段と、
前記入球手段の状態を、当該入球手段への遊技球の入球が不可能または困難な状態である第１の状態と、当該入球手段への遊技球の入球が可能または容易な状態である第２の状態との間で遷移させる状態遷移手段と、
前記通過手段を遊技球が通過したことに基づいて抽選を実行する抽選実行手段と、
前記通過手段を遊技球が通過したことに基づいて識別情報の変動表示を開始するとともに、前記変動表示を終了して前記抽選実行手段による前記抽選の結果に対応した識別情報を停止表示する表示手段と、
前記抽選実行手段による前記抽選の結果に基づいて前記状態遷移手段を制御する制御手段と、
前記発射手段によって発射された遊技球を１球ずつに整流して流下させる整流手段と、
到達した遊技球を複数の経路に振り分ける振分手段と、
振り分けられた遊技球が前記通過手段を通過することが可能であるように構成された第１の経路と、
振り分けられた遊技球が前記通過手段を通過することが不可能であるように構成された第２の経路と、
を備える遊技機であって、
前記整流手段を通過した遊技球が前記振分手段に流下可能に構成されており、
前記振分手段は、
到達した遊技球を前記第１の経路に振り分け可能であり、
前記第１の経路に振り分けられる遊技球より後に到達した遊技球を前記第２の経路に振り分け可能であり、
前記第２の経路に振り分けられる遊技球より後に到達した遊技球を前記第１の経路に振り分け可能であるように構成されており、
前記第１の経路および前記第２の経路は、振り分けられた遊技球が、前記入球手段が前記第２の状態である場合には当該入球手段に入球することが可能であるように構成されており、
前記制御手段は、
遊技球が前記通過手段を通過してから、前記入球手段が前記第１の状態から前記第２の状態への遷移を開始するまでの時間である遷移開始待ち時間の長さを、複数種類の長さに設定することが可能であり、
本遊技機は、
遊技球が前記通過手段を通過したことに基づいて前記抽選実行手段の前記抽選の結果が特定の結果となり、前記制御手段によって前記入球手段が前記第２の状態に遷移される場合に、前記通過手段を通過した当該遊技球が、前記第２の状態に遷移されている前記入球手段に入球可能に構成されている
ことを特徴とする遊技機。
【手続補正２】
【補正対象書類名】明細書
【補正対象項目名】０００６
【補正方法】変更
【補正の内容】
【０００６】
［形態］
遊技領域に向けて遊技球を発射する発射手段と、
前記遊技領域を流通する遊技球が入球可能な入球手段と、
前記遊技領域を流通する遊技球が通過可能な通過手段と、
前記入球手段の状態を、当該入球手段への遊技球の入球が不可能または困難な状態である第１の状態と、当該入球手段への遊技球の入球が可能または容易な状態である第２の状態との間で遷移させる状態遷移手段と、
前記通過手段を遊技球が通過したことに基づいて抽選を実行する抽選実行手段と、
前記通過手段を遊技球が通過したことに基づいて識別情報の変動表示を開始するとともに、前記変動表示を終了して前記抽選実行手段による前記抽選の結果に対応した識別情報を停止表示する表示手段と、
前記抽選実行手段による前記抽選の結果に基づいて前記状態遷移手段を制御する制御手段と、
前記発射手段によって発射された遊技球を１球ずつに整流して流下させる整流手段と、
到達した遊技球を複数の経路に振り分ける振分手段と、
振り分けられた遊技球が前記通過手段を通過することが可能であるように構成された第１の経路と、
振り分けられた遊技球が前記通過手段を通過することが不可能であるように構成された第２の経路と、
を備える遊技機であって、
前記整流手段を通過した遊技球が前記振分手段に流下可能に構成されており、
前記振分手段は、
到達した遊技球を前記第１の経路に振り分け可能であり、
前記第１の経路に振り分けられる遊技球より後に到達した遊技球を前記第２の経路に振り分け可能であり、
前記第２の経路に振り分けられる遊技球より後に到達した遊技球を前記第１の経路に振り分け可能であるように構成されており、
前記第１の経路および前記第２の経路は、振り分けられた遊技球が、前記入球手段が前記第２の状態である場合には当該入球手段に入球することが可能であるように構成されており、
前記制御手段は、
遊技球が前記通過手段を通過してから、前記入球手段が前記第１の状態から前記第２の状態への遷移を開始するまでの時間である遷移開始待ち時間の長さを、複数種類の長さに設定することが可能であり、
本遊技機は、
遊技球が前記通過手段を通過したことに基づいて前記抽選実行手段の前記抽選の結果が特定の結果となり、前記制御手段によって前記入球手段が前記第２の状態に遷移される場合に、前記通過手段を通過した当該遊技球が、前記第２の状態に遷移されている前記入球手段に入球可能に構成されている
ことを特徴とする遊技機。
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射する発射手段と、
前記遊技領域を流通する遊技球が入球可能な入球手段と、
前記遊技領域を流通する遊技球が通過可能な通過手段と、
前記入球手段の状態を、当該入球手段への遊技球の入球が不可能または困難な状態である第１の状態と、当該入球手段への遊技球の入球が可能または容易な状態である第２の状態との間で遷移させる状態遷移手段と、
前記通過手段を遊技球が通過したことに基づいて抽選を実行する抽選実行手段と、
前記通過手段を遊技球が通過したことに基づいて識別情報の変動表示を開始するとともに、前記変動表示を終了して前記抽選実行手段による前記抽選の結果に対応した識別情報を停止表示する表示手段と、
前記抽選実行手段による前記抽選の結果に基づいて前記状態遷移手段を制御する制御手段と、
到達した遊技球を複数の経路に振り分ける振分手段と、
振り分けられた遊技球が前記通過手段を通過することが可能であるように構成された第１の経路と、
振り分けられた遊技球が前記通過手段を通過することが不可能であるように構成された第２の経路と、
を備える遊技機であって、
前記振分手段は、
到達した遊技球を前記第１の経路に振り分け可能であり、
前記第１の経路に振り分けられる遊技球より後に到達した遊技球を前記第２の経路に振り分け可能であり、
前記第２の経路に振り分けられる遊技球より後に到達した遊技球を前記第１の経路に振り分け可能であるように構成されており、
前記第１の経路および前記第２の経路は、振り分けられた遊技球が、前記入球手段が前記第２の状態である場合には当該入球手段に入球することが可能であるように構成されており、
前記制御手段は、
遊技球が前記通過手段を通過してから、前記入球手段が前記第１の状態から前記第２の状態への遷移を開始するまでの時間である遷移開始待ち時間の長さを、複数種類の長さに設定することが可能であり、
前記遷移開始待ち時間は、少なくとも前記変動表示が開始されてから前記変動表示が終了して前記抽選の結果に対応した識別情報が停止表示されるまでの変動時間と、前記抽選の結果に対応した識別情報が停止表示されてから前記入球手段が前記第１の状態から前記第２の状態に遷移を開始するまでの待機時間と、を含んで構成されている
ことを特徴とする遊技機。
【手続補正２】
【補正対象書類名】明細書
【補正対象項目名】０００６
【補正方法】変更
【補正の内容】
【０００６】
［形態］
遊技領域に向けて遊技球を発射する発射手段と、
前記遊技領域を流通する遊技球が入球可能な入球手段と、
前記遊技領域を流通する遊技球が通過可能な通過手段と、
前記入球手段の状態を、当該入球手段への遊技球の入球が不可能または困難な状態である第１の状態と、当該入球手段への遊技球の入球が可能または容易な状態である第２の状態との間で遷移させる状態遷移手段と、
前記通過手段を遊技球が通過したことに基づいて抽選を実行する抽選実行手段と、
前記通過手段を遊技球が通過したことに基づいて識別情報の変動表示を開始するとともに、前記変動表示を終了して前記抽選実行手段による前記抽選の結果に対応した識別情報を停止表示する表示手段と、
前記抽選実行手段による前記抽選の結果に基づいて前記状態遷移手段を制御する制御手段と、
到達した遊技球を複数の経路に振り分ける振分手段と、
振り分けられた遊技球が前記通過手段を通過することが可能であるように構成された第１の経路と、
振り分けられた遊技球が前記通過手段を通過することが不可能であるように構成された第２の経路と、
を備える遊技機であって、
前記振分手段は、
到達した遊技球を前記第１の経路に振り分け可能であり、
前記第１の経路に振り分けられる遊技球より後に到達した遊技球を前記第２の経路に振り分け可能であり、
前記第２の経路に振り分けられる遊技球より後に到達した遊技球を前記第１の経路に振り分け可能であるように構成されており、
前記第１の経路および前記第２の経路は、振り分けられた遊技球が、前記入球手段が前記第２の状態である場合には当該入球手段に入球することが可能であるように構成されており、
前記制御手段は、
遊技球が前記通過手段を通過してから、前記入球手段が前記第１の状態から前記第２の状態への遷移を開始するまでの時間である遷移開始待ち時間の長さを、複数種類の長さに設定することが可能であり、
前記遷移開始待ち時間は、少なくとも前記変動表示が開始されてから前記変動表示が終了して前記抽選の結果に対応した識別情報が停止表示されるまでの変動時間と、前記抽選の結果に対応した識別情報が停止表示されてから前記入球手段が前記第１の状態から前記第２の状態に遷移を開始するまでの待機時間と、を含んで構成されている
ことを特徴とする遊技機。
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射する発射手段と、
前記遊技領域を流通する遊技球が入球可能な入球手段と、
前記遊技領域を流通する遊技球が通過可能な通過手段と、
前記入球手段の状態を、当該入球手段への遊技球の入球が不可能または困難な状態である第１の状態と、当該入球手段への遊技球の入球が可能または容易な状態である第２の状態との間で遷移させる状態遷移手段と、
前記通過手段を遊技球が通過したことを契機として前記状態遷移手段を制御する制御手段と、
到達した遊技球を複数の経路に振り分ける振分手段と、
振り分けられた遊技球が前記通過手段を通過することが可能であるように構成された第１の経路と、
振り分けられた遊技球が前記通過手段を通過することが不可能であるように構成された第２の経路と、
を備える遊技機であって、
前記振分手段は、
到達した遊技球を前記第１の経路に振り分け可能であり、
前記第１の経路に振り分けられる遊技球より後に到達した遊技球を前記第２の経路に振り分け可能であり、
前記第２の経路に振り分けられる遊技球より後に到達した遊技球を前記第１の経路に振り分け可能であるように構成されており、
前記第１の経路および前記第２の経路は、振り分けられた遊技球が、前記入球手段が前記第２の状態である場合には当該入球手段に入球することが可能であるように構成されており、
前記制御手段は、
遊技球が前記通過手段を通過してから、前記入球手段が前記第１の状態から前記第２の状態への遷移を開始するまでの時間である遷移開始待ち時間の長さを、複数種類の長さに設定することが可能であり、
所定の条件が成立した場合に特定遊技状態を発生させ、前記特定遊技状態において前記状態遷移手段を制御して前記入球手段への遊技球の入球が前記特定遊技状態ではない場合と比較して多数発生し得るように制御するものであり、
本遊技機は、
前記特定遊技状態において前記入球手段が前記第２の状態へ遷移された場合に、１回の前記第２の状態への遷移において前記入球手段に入球する遊技球の数が異なり得るように構成されている
ことを特徴とする遊技機。
【手続補正２】
【補正対象書類名】明細書
【補正対象項目名】０００６
【補正方法】変更
【補正の内容】
【０００６】
［形態］
遊技領域に向けて遊技球を発射する発射手段と、
前記遊技領域を流通する遊技球が入球可能な入球手段と、
前記遊技領域を流通する遊技球が通過可能な通過手段と、
前記入球手段の状態を、当該入球手段への遊技球の入球が不可能または困難な状態である第１の状態と、当該入球手段への遊技球の入球が可能または容易な状態である第２の状態との間で遷移させる状態遷移手段と、
前記通過手段を遊技球が通過したことを契機として前記状態遷移手段を制御する制御手段と、
到達した遊技球を複数の経路に振り分ける振分手段と、
振り分けられた遊技球が前記通過手段を通過することが可能であるように構成された第１の経路と、
振り分けられた遊技球が前記通過手段を通過することが不可能であるように構成された第２の経路と、
を備える遊技機であって、
前記振分手段は、
到達した遊技球を前記第１の経路に振り分け可能であり、
前記第１の経路に振り分けられる遊技球より後に到達した遊技球を前記第２の経路に振り分け可能であり、
前記第２の経路に振り分けられる遊技球より後に到達した遊技球を前記第１の経路に振り分け可能であるように構成されており、
前記第１の経路および前記第２の経路は、振り分けられた遊技球が、前記入球手段が前記第２の状態である場合には当該入球手段に入球することが可能であるように構成されており、
前記制御手段は、
遊技球が前記通過手段を通過してから、前記入球手段が前記第１の状態から前記第２の状態への遷移を開始するまでの時間である遷移開始待ち時間の長さを、複数種類の長さに設定することが可能であり、
所定の条件が成立した場合に特定遊技状態を発生させ、前記特定遊技状態において前記状態遷移手段を制御して前記入球手段への遊技球の入球が前記特定遊技状態ではない場合と比較して多数発生し得るように制御するものであり、
本遊技機は、
前記特定遊技状態において前記入球手段が前記第２の状態へ遷移された場合に、１回の前記第２の状態への遷移において前記入球手段に入球する遊技球の数が異なり得るように構成されている
ことを特徴とする遊技機。